(57)【要約】【課題】少なくとも背面が金属製である遊技機本体を備えるものでありながら、遊技メダル等の遊技用媒体を補給する遊技用媒体補給機のメダル補給部を背面に簡便に固定し得るようにした遊技機を提供する。【解決手段】雀球遊技機では、自動補給機のメダル補給部８５を固定する木製の接続プレート２９と、背面２６に接続プレート２９を着脱自在に装着する装着部４５とを備え、メダル補給部８５を固定した接続プレート２９を、メダル補給部８５の先端である先端部８７を開口部２７に挿入した状態で装着部４５に装着するように構成している。このため、木製の接続プレート２９にメダル補給部８５を木ネジ３６で簡単に固定でき、該接続プレート２９を介して、メダル補給部８５を背面２６の装着部４５に装着することができ、従って、少なくとも背面２６が金属製であってもメダル補給部８５を簡便に固定することができる。【選択図】図４
2008301866.tif 000002
【特許請求の範囲】
【請求項１】
遊技用媒体を貯留する貯留装置を、少なくとも背面が金属製若しくは樹脂製からなる遊技機本体内に備えると共に、前記背面に、前記遊技機本体外部に位置する遊技用媒体補給機の補給部材の先端部を挿入する開口部を備え、該開口部に挿入された前記先端部を介して前記貯留装置に遊技用媒体が補給されてなる遊技機において、
前記補給部材を固定する木製の接続部材と、
前記遊技機本体の前記背面に、前記接続部材を着脱自在に装着する装着部と、を備え、
前記補給部材を固定した前記接続部材を、前記先端部を前記開口部に挿入した状態で前記装着部に装着するように構成した、
ことを特徴とする遊技機。
【請求項２】
前記接続部材は、左右縁部にそれぞれ切欠き部を有するプレート状に形成され、かつ、
前記装着部は、前記開口部に前記先端部を挿入させつつ前記背面に接近する前記接続部材の前記切欠き部を係合させる第１係合部と、該切欠き部の前記第１係合部への係合後に前記接続部材が前記背面と平行に移動した際、前記第１係合部とで前記接続部材を抜け止め支持する第２係合部と、を有してなる、
請求項１記載の遊技機。
【発明の詳細な説明】
【技術分野】
【０００１】
本発明は、雀球遊技機やスロットマシン等の遊技機に係り、特に、筐体内に備えた貯留装置に遊技用媒体補給機から遊技用媒体を補給するようにした遊技機に関する。
【背景技術】
【０００２】
従来、遊技用媒体として遊技メダルを用いて遊技する遊技機には、雀球遊技機やスロットマシン（回胴式遊技機）が知られている。雀球遊技機には、各種遊技部品が配置された遊技盤の下部に、麻雀牌の図柄を付した所定数の入球口を備え、メダル投入口に遊技メダル（以下、単に「メダル」とも言う）が投入されると、麻雀牌の図柄を画像表示装置に適宜の組合せで自動的に表示する自動配牌機能を備えたものがある（特許文献１参照）。この雀球遊技機では、画像表示装置に表示される手牌のうちから不要な牌（不要牌）が切り捨てられた際、１個の遊技球を再度打ち出しし得る状態となり、これら切り捨て操作（捨て牌操作）及び再打ち出し操作が所定回数以内にて繰り返し行われ、所定の上がり役が完成した時点で得点が計算され、その得点に応じた数の遊技メダルが払い出される。
【０００３】
また、スロットマシンは、複数種の絵柄からなるシンボルマークを円周方向に多数（通常は２１個）備えた横３列の回胴リールを、スタートレバー操作に基づいて回転させた後、３個のストップボタンをそれぞれ押圧操作することで、各ボタンに対応する回胴リールを順次停止させて、各回胴リールに備えたシンボルマークのうちの所定の絵柄同士が一致したときに当たりとなり、ボーナス取得として多数の遊技メダルがメダル受け皿に放出されるように構成されている（特許文献２参照）。該スロットマシンでは、主基板に装着されたＲＯＭの抽選機能により役抽選を行い、該対応役の結果に応じて回胴リールを停止制御させてシンボルマークを揃える際等に視覚的な演出を行う。
【０００４】
一般に、雀球遊技機やスロットマシンのように遊技メダルを用いる遊技機は、投入された遊技メダルを貯留するホッパユニットと、該ホッパユニット内の貯留メダルのうち所定量を超えて溢れ出た遊技メダルを受容する受容箱と、を備えている。このような遊技機は、ホッパユニットから溢れた遊技メダルを自動的に回収する回収装置と、ホッパユニット内の遊技メダルが不足したとき自動的に遊技メダルを補給する自動補給機とを備えた遊技場に設置される場合には、該自動補給機のメダル補給部が、筐体背面に形成された開口部から挿入された状態で該背面に固定される。
【０００５】
【特許文献１】特開２００７−０９７７８３号公報
【特許文献２】特開２００３−２７５３７２号公報
【発明の開示】
【発明が解決しようとする課題】
【０００６】
ところで、特許文献１及び２に記載されるような遊技機には、遊技機本体が木製のものや金属製のものが存在する。木製の場合、加工面では利点が多いものの、遊技島設備に設置したり取り外したりする際に、釘等の打ち込みによって破損するようなことがあり、再利用には不向きな面がある。これに対し、金属製の場合には、木製の場合のような破損は生じにくく、同じ状態を長く維持できるため、再利用には有利であるが、上述した自動補給機のメダル補給部を背面に固定する際に次のような不都合を生じる。
【０００７】
つまり、自動補給機のメダル補給部を背面に固定する固定手段は、基本的には、木製の遊技機本体に固定する木ネジを用いることが慣例となっているため、このような木ネジを使用しながらも、金属製の遊技機本体背面に簡便に取り付けできるような構造が切望される。
【０００８】
そこで本発明は、少なくとも背面が金属製若しくは樹脂製である遊技機本体を備えるものでありながら、遊技メダル等の遊技用媒体を補給する遊技用媒体補給機の補給部材を背面に簡便に固定し得るように構成し、もって上述した課題を解決した遊技機を提供することを目的とするものである。
【課題を解決するための手段】
【０００９】
請求項１に係る本発明は（例えば図１ないし図１０参照）、遊技用媒体（Ｍ）を貯留する貯留装置（５７）を、少なくとも背面（２６）が金属製若しくは樹脂製からなる遊技機本体（１ａ，６１ａ）内に備えると共に、前記背面（２６）に、前記遊技機本体外部に位置する遊技用媒体補給機の補給部材（８５）の先端部（８７）を挿入する開口部（２７）を備え、該開口部（２７）に挿入された前記先端部（８７）を介して前記貯留装置（５７）に遊技用媒体（Ｍ）が補給されてなる遊技機（１，６１）において、
前記補給部材（８５）を固定する木製の接続部材（２９）と、
前記遊技機本体（１ａ，６１ａ）の前記背面（２６）に、前記接続部材（２９）を着脱自在に装着する装着部（４５）と、を備え、
前記補給部材（８５）を固定した前記接続部材（２９）を、前記先端部（８７）を前記開口部（２７）に挿入した状態で前記装着部（４５）に装着するように構成した、
ことを特徴とする遊技機にある。
【００１０】
請求項２に係る本発明は（例えば図４ないし図９参照）、前記接続部材（２９）が、左右縁部にそれぞれ切欠き部（２９ｃ）を有するプレート状に形成され、かつ、
前記装着部（４５）は、前記開口部（２７）に前記先端部（８７）を挿入させつつ前記背面（２６）に接近する前記接続部材（２９）の前記切欠き部（２９ｃ）を係合させる第１係合部（３１）と、該切欠き部（２９ｃ）の前記第１係合部（３１）への係合後に前記接続部材（２９）が前記背面（２６）と平行に移動した際、前記第１係合部（３１）とで前記接続部材（２９）を抜け止め支持する第２係合部（３３ａ）と、を有してなる、
請求項１記載の遊技機にある。
【００１１】
なお、上記カッコ内の符号は、図面と対照するためのものであるが、これは、発明の理解を容易にするための便宜的なものであり、特許請求の範囲の記載に何等影響を及ぼすものではない。
【発明の効果】
【００１２】
請求項１に係る本発明によると、補給部材を固定する木製の接続部材と、背面に接続部材を着脱自在に装着する装着部とを備え、補給部材を固定した接続部材を、補給部材の先端部を開口部に挿入した状態で装着部に装着するように構成したので、木製の接続部材に対して補給部材を木ネジで簡単に固定でき、更に、当該接続部材を介して、補給部材を遊技機本体背面の装着部に装着することができる。従って、遊技機の少なくとも背面が金属製若しくは樹脂製であっても、遊技用媒体補給機の補給部材を簡便に取り付けることができる。
【００１３】
請求項２に係る本発明によると、装着部が、開口部に補給部材の先端部を挿入させつつ背面に接近する接続部材の切欠き部を係合させる第１係合部と、該切欠き部の第１係合部への係合後に接続部材が背面と平行に移動した際、第１係合部とで接続部材を抜け止め支持する第２係合部とを有するので、補給部材を固定した状態の接続部材を、その切欠き部を第１係合部に係合させながら背面と平行な方向に移動させるだけで第２係合部に係合させ、それら第１係合部と第２係合部とによって補給部材を背面に確実に取り付けることができる。
【発明を実施するための最良の形態】
【００１４】
以下、本発明に係る遊技機の実施形態として、遊技場等に設置される雀球遊技機を図面に沿って説明する。なお、図１は本実施形態における雀球遊技機を示す斜視図、図２は図１における遊技盤面部を抜粋して示す斜視図、図３は雀球遊技機の前扉全体を開放して内部構造を示す正面図である。
【００１５】
本実施形態では、２７種の牌の図柄を各４個、計１０８個の牌を使用して遊技を行う雀球遊技機１を例に挙げて説明する。この２７種の牌の図柄は、例えば、萬子が「一萬」〜「九萬」の９種、筒子が「一筒」〜「九筒」の９種、索子が「一索」と「九索」の２種、字牌が「東」「南」「西」「北」「白」「發」「中」の７種である。従って、萬子と筒子が数牌となり、索子の「一索」と「九索」は、順子を形成することができないので字牌に含めている。これにより、本実施形態における牌種とは、上記の「萬子」、「筒子」、「字牌」の３種を示すことになる。なお、上記した２種の数牌は、萬子、筒子、及び索子のうちのいずれの２種であってもよく、例えば、萬子と索子とで数牌を形成した場合には、筒子の「一筒」と「九筒」とを字牌とするように選定した雀球遊技機を構成してもよい。
【００１６】
図１は、本実施形態における雀球遊技機１の全体を示す斜視図である。同図に示すように、本雀球遊技機１は、全体が板金からなる筐体１ｃと、該金属製の筐体１ｃに対して開閉可能に支持された前扉１ｂと、を備えている。これら筐体１ｃ及び前扉１ｂにより遊技機本体１ａが構成されている。前扉１ｂの前面部には、操作パネル３、該操作パネル３の下方に設けられた遊技球発射レバー４、メダル受け皿５、音声や効果音（以下、一括して音声という）を出力する音声出力装置であるスピーカー６、ランプ装置７等が配置されている。前扉１ｂには透明ガラス４１が取り付けられ、前扉１ｂの閉止時には該透明ガラス４１が遊技盤２と対向するように位置する。そして、前扉１ｂの透明ガラス４１を通した奥側で遊技盤２の前面には、図２に示す遊技エリアを形成する遊技盤面部２ａが配置されている。なお、符号１７は、不図示の発射装置によって打ち出された遊技球を遊技盤面部２ａ側に案内するガイドレールを示している。
【００１７】
本実施形態では、筐体１ｃは全体が板金（金属製）で構成される例を挙げて説明するが、本発明は、これに限らず、背面２６（図４参照）以外は樹脂製や木製のもの、つまり背面２６のみが金属製の筐体１ｃを備えた雀球遊技機にも適用でき、また、全体が樹脂製の筐体１ｃを備えた雀球遊技機や、背面２６のみが樹脂製の筐体１ｃを備えた雀球遊技機にも適用できる。すなわち、少なくとも背面２６が金属製若しくは樹脂製からなる遊技機本体１ａを備える雀球遊技機や、後述するスロットマシン６１においても少なくとも背面が金属製若しくは樹脂製からなる遊技機本体６１ａを備えたものであれば、本発明を適用することができる。
【００１８】
上記操作パネル３には、液晶表示装置等からなる画像表示部１４、メダル投入口１５、及び各種の操作ボタンが設けられている。この各種の操作ボタンとして、１３個のボタンが横方向に並設された捨て牌ボタン１６…、自摸牌捨てボタン３９、リーチボタン１８、牌選択右シフトボタン１９、牌選択左シフトボタン２０、自摸牌決定ボタン２１、払い出しボタン２２、遊技終了ボタン２３、遊技開始ボタン２４、及びリジェクト（ＲＥＪＥＣＴ）ボタン２５が配置されている。
【００１９】
図２に示すように、遊技盤面部２ａの略中央部には、液晶パネル等の画像表示装置３８を開口部１３から露出した状態のセンター飾り１２が配置されている。センター飾り１２は、開口部１３の上部に演出装置４０を有し、開口部１３の下部に遊技球の進路を振り分けるステージＳを有している。センター飾り１２の右方には、遊技球が通過可能なアタッカー作動通過口１０が配置され、該アタッカー作動通過口１０の直下方にはアタッカー９が配置されている。
【００２０】
センター飾り１２の上方には表示部３７が配置され、センター飾り１２の左右下方には入球口１１ａ，１１ｂが配置され、センター飾り１２の下方には入球口１１ｃ〜１１ｅ、…が配置されている。また、センター飾り１２の下方で且つ上記入球口１１ｃ〜１１ｅ、…の直ぐ上方には、各入球口の入球幅を規制するための多数の障害釘（図示せず）が打ち込まれている。なお、遊技盤面部２ａには、風車（図示せず）や上記とは別の障害釘（図示せず）が設けられている。
【００２１】
センター飾り１２におけるステージＳの下方には、複数個（本実施形態では２５個）の入球口１１ｃ、１１ｄ、１１ｅ、…を有した入球ユニット５３が配置されている。これら入球口１１ｃ、１１ｄ、１１ｅ、…は、索子牌を除いた牌の図柄２５種（図柄は図示せず）に対応して２５個が設けられている。入球口１１ａ，１１ｂにはそれぞれ「一索」と「九索」が表示されており、また入球口１１ｃには「一萬」、入球口１１ｄには「二萬」、入球口１１ｅには「三萬」というように、所要の麻雀牌図柄が順次表示されている。なお、符号５３ａは、入球ユニット５３の前カバーを示している。
【００２２】
また、遊技機本体１ａの内部には、図３に示すように、前扉１ｂ全体を開放した状態において、電源基板５５、主制御基板５６、ホッパユニット（貯留装置）５７、メダル払出し装置４８、及び受容箱５８が上部から下部に向かって配設されている。図３の正面視における、遊技球を遊技盤面部２ａに打ち出す発射装置５１の右上方には、循環ユニット７３が装着されている。筐体１ｃの背面におけるホッパユニット５７のやや上方には開口部２７が表裏貫通して形成されている。この開口部２７から、メダル補給部（補給部材）８５の先端部８７が挿入されてホッパユニット５７の上部に位置している。つまり、本実施形態の雀球遊技機１は、遊技機本体１ａ外部の不図示の自動補給機（遊技用媒体補給機）からメダル補給部８５を介してホッパユニット５７に遊技メダル（遊技用媒体）Ｍが補給されるように構成される。なお、符号５７ａは、隣接する受容箱５８に遊技メダルＭを排出するための排出口を示し、符号７１は打撃レバーを示している。
【００２３】
ついで、図４ないし図９を参照して、自動補給機のメダル補給部８５を遊技機本体１ａの背面２６（つまり、筐体１ｃの背面２６）に装着する構造について説明する。なお、図４は、当該装着構造におけるメダル補給部８５の装着前の状態を示す斜視図、図５は、装着構造におけるメダル補給部８５の装着の第１段階を示す斜視図、図６は、装着構造におけるメダル補給部８５の装着の第２段階を示す斜視図、図７は、メダル補給部８５の接続プレート（接続部材）２９への固定状況を示す斜視図、図８は、メダル補給部８５の接続プレート２９への固定後の状態を示す斜視図、図９は、図８のメダル補給部８５及び接続プレート２９を、一部断面した状態で示す側面図である。
【００２４】
図４に示すように、図１に示した遊技機本体１ａの背面２６の装着部４５にメダル補給部８５が取り付けられるのであるが、その場合、遊技機本体１ａとメダル補給部８５との間には、双方を接続する接続プレート（接続部材）２９が介在される。
【００２５】
メダル補給部８５を固定する当該接続プレート２９は、メダル補給部８５を木ネジでネジ止めできるように木製でかつ略々矩形状に構成されており、中央部に平坦状の取付け部２９ｄを有し、かつ左右縁部にそれぞれ切欠き部２９ｃを有している。これら左右の切欠き部２９ｃの上部及び下部には、それぞれ凸部２９ａ及び凸部２９ｂが形成されている。
【００２６】
メダル補給部８５は、図９に示すように、接続プレート２９の取付け部２９ｄに複数本の木ネジ３６で固定される金属製の固定プレート部８８と、該固定プレート部８８の下部に、左右に突出するブラケット８６ｂをビス止めされた金属製の矩形筒状部８６と、該矩形筒状部８６の下部に連結されて該矩形筒状部８６に連通する金属製の先端部８７と、から構成される。なお、固定プレート部８８は、一般的には、木製の筐体に対して木ネジで固定される。矩形筒状部８６は、上方に開口するメダル取入れ部８６ａに、雀球遊技機１が設置される遊技島設備に設けられている不図示の自動補給機（遊技用媒体補給機）から延びる蛇腹状のホース９０（蛇腹状の形状については図示を省略）が連結される。このため、該自動補給機から所定の契機（例えば、ホッパユニット５７内の遊技メダルＭが不足した時点）で遊技メダルＭが放出されると、それら遊技メダルＭが、蛇腹ホース９０、矩形筒状部８６及び先端部８７を介して、遊技機本体１ａ内のホッパユニット５７に補給される
【００２７】
また、遊技機本体１ａの背面２６には、メダル補給部８５の先端部である先端部８７を挿入する、略々矩形状の開口部２７と、接続プレート２９を装着する装着部４５と、が設けられている。背面２６に接続プレート２９を着脱自在に装着する当該装着部４５は、開口部２７の上方にて該開口部２７より大きく且つ接続プレート２９の面積よりやや大サイズの略々矩形状の嵌合開口部２８と、該嵌合開口部２８の上側左右に形成された、開口部２７にメダル補給部８５の先端部８７を挿入させつつ背面２６に接近（図４の矢印Ａ方向）する接続プレート２９の切欠き部２９ｃを係合させる係合爪部（第１係合部）３１と、嵌合開口部２８の下側左右に形成された、係合爪部３１への係合後に背面２６と平行な方向（図５の矢印Ｂ方向）に接続プレート２９が移動した際に切欠き部２９ｃから離れた係合爪部３１とで接続プレート２９を抜け止め支持する係合爪部（第２係合部）３３ａと、を有している。
【００２８】
更に、上記装着部４５は、嵌合開口部２８の上縁部及び下縁部に設けられた当接部３０，３２を有している。当接部３０は、係合爪部３１に切欠き部２９ｃを完全に係合させて奥側に入り込んだ接続プレート２９の前面（背面２６に向く面）の上縁部を当接させるものであり、当接部３２は、接続プレート２９の前面の下縁部を当接させるものである。そして、該当接部３２は、接続プレート２９の厚み分だけ嵌合開口部２８の奥方向に延びる連結部３２ｂと、該連結部３２ｂから上方に屈曲して延びる屈曲部３２ａとからなり、連結部３２ｂの存在によって奥行き３３ｂが形成される。この構造は、当接部３０側でも同様である。また、係合爪部３１は、切欠き部２９ｃのサイズよりやや小さく形成されており、接続プレート２９が上縁部を当接部３０に当接させたとき、接続プレート２９の切欠き部２９ｃを矢印Ｂと逆方向に乗り越えるので、その状態において、接続プレート２９を連結部３２ｂに当接するまで下方にスライドさせることができる。この際のスライド量は、開口部２７に挿入された先端部８７及び矩形筒状部８６が該開口部２７内でその上下移動を許容される範囲内に設定されている。
【００２９】
上記構造のメダル補給部８５を接続プレート２９に組み付ける際は、図７に示すように、接続プレート２９をその凸部２９ａが上方を向くように位置させ、先端部８７を下方に向けたメダル補給部８５の固定プレート部８８を取付け部２９ｄに対向させつつ接触させ、固定プレート部８８の左右縁部８８ｂに形成された複数の貫通孔８８ａにそれぞれ木ネジ３６を挿通して木製の取付け部２９ｄにねじ込む。これにより、図８に示すように、固定プレート部８８を介してメダル補給部８５が接続プレート２９に固定され、ユニット化される。このメダル補給部８５は、図９に示すように、背面２６に平行な状態で対面する接続プレート２９から斜め下方に先端部８７が突出するため、該先端部８７が開口部２７に挿入された際に、遊技機本体１ａ内のホッパユニット５７の上部に位置できるようになる。
【００３０】
そして、ユニット化させた上記メダル補給部８５を、遊技機本体１ａの背面２６に接近させ、開口部２７に先端部８７を挿入し、接続プレート２９をその切欠き部２９ｃを係合爪部３１に位置合わせしつつ、図４の矢印Ａ方向に移動させて、図５に示すように係合させる。更に、この状態から、接続プレート２９を図５の矢印Ｂ方向に移動させる。この際、開口部２７が先端部８７及び矩形筒状部８６の上下移動を許容し得るサイズに形成されているので、メダル補給部８５全体が支障なく下降し、接続プレート２９の下縁部が連結部３２ｂに当接することで、図６に示すようにメダル補給部８５が背面２６に取り付けられる。なお、図４ないし図６における符号３４は、係合爪部３１に切欠き部２９ｃを通しつつ接続プレート２９を嵌合開口部２８側に挿入する際に、切欠き部２９ｃの上下にある凸部２９ａと凸部２９ｂを通過させる切欠き部である。
【００３１】
当該メダル補給部８５の背面２６への装着状態では、図９に示すように、接続プレート２９の厚みが嵌合開口部２８内に収容された形になるので、固定プレート部８８における背面２６側を向く面が該背面２６と略々面一になって、背面２６の後方に突出することがない。これにより、背面２６が一般的な木製であった場合に該背面２６に固定プレート部８８を直接木ネジ３６で固定した状態と同じになるため、接続プレート２９を介在する本実施形態においてメダル補給部８５の先端部８７がホッパユニット５７に対して位置ズレすることはない。
【００３２】
続いて、上述した雀球遊技機１の遊技手順とこの手順に伴う各処理の概要について説明する。すなわち、１ゲームは、遊技者がメダル投入口１５へメダルを投入して、遊技開始ボタン２４を押圧し、１４個の手牌が画像表示部１４上に配牌表示されることによりスタートする。そして、遊技者が捨て牌ボタン１６…、等の各種の操作ボタンを操作し、該操作に基づいて各種センサから発生される入力信号及び制御信号に基づき、１ゲームが進行していくことになる。
【００３３】
つまり、遊技者がメダル投入口１５にメダルを投入し、遊技開始ボタン２４を押圧すると、１ゲームの遊技が開始できる状態になり、引き続き、ゲームを開始するために必要な１４個の配牌の図柄が自動的に決められ、画像表示部１４の手牌表示部（図示せず）と自摸牌表示部（図示せず）に表示される。更に、表ドラ及び裏ドラの牌の図柄の画像が、画像表示部１４の不図示の表ドラ表示部と裏ドラ表示部に表示され、ビッグ役及びチャンス役がビッグゲーム上がり役表示部（図示せず）と、チャンスゲーム上がり役表示部（図示せず）とにそれぞれ表示される。そして、遊技の開始条件が整ったことが画面表示又は音声で遊技者に報知される。
【００３４】
この状態において、遊技者は、手牌表示部と自摸牌表示部に表示されている牌の図柄から、捨て牌を選択する操作を行う。遊技者は、捨てる牌の図柄を決定すると、この捨て牌の図柄に対応する捨て牌ボタン１６…、或いは自摸牌捨てボタン８のいずれか１つを選択（オン）してこの牌を捨てる。すると、遊技球が遊技球発射位置に１球送られ、遊技球発射レバー４の操作で遊技盤面２内に遊技球を発射できる状態になる。
【００３５】
遊技者が遊技球を発射し、この遊技球が入球口１１ａ、１１ｂ、１１ｃ、…の何れかに入球すると、該入球に対応する牌（自摸牌）の図柄が自摸牌表示部（図示せず）に表示される。この牌を自摸ったことで和了しない場合、遊技者は、１４個の手牌の中から不要と思われる１個の牌を捨てる捨て牌操作を行う。そして、遊技者は、このような操作を順次実行していき、所望の上がり役が聴牌（テンパイ）したと判断した時点で、リーチボタン１８を操作してリーチをかけ、或いはリーチをかけずに、１ゲーム中で発射可能な遊技球数が尽きるまで上がり牌を自摸る操作を続ける。
【００３６】
以上のように本実施形態では、メダル補給部８５を固定する木製の接続プレート２９と、背面２６に接続プレート２９を着脱自在に装着する装着部４５とを備え、メダル補給部８５を固定した接続プレート２９を、メダル補給部８５の先端部８７を開口部２７に挿入した状態で装着部４５に装着するように構成した。これにより、木製の接続プレート２９に対してメダル補給部８５を木ネジ３６で簡単に固定でき、更に、この接続プレート２９を介して、メダル補給部８５を背面２６の装着部４５に簡単に装着することができる。従って、雀球遊技機１の少なくとも背面２６が金属製であっても、自動補給機のメダル補給部８５を簡便に取り付けることができる。
【００３７】
そして、装着部４５が、開口部２７にメダル補給部８５の先端部を挿入させつつ背面２６に接近する接続プレート２９の切欠き部２９ｃを係合させる係合爪部３１と、該切欠き部２９ｃの係合爪部３１への係合後に接続プレート２９が背面２６と平行に移動した際、係合爪部３１とで接続プレート２９を抜け止め支持する係合爪部３３ａとを有している。これにより、メダル補給部８５を固定した状態の接続プレート２９を、その切欠き部２９ｃを係合爪部３１に係合させながら背面２６と平行な方向に移動させるだけで係合爪部３３ａに係合させ、それら係合爪部３１と係合爪部３３ａとによってメダル補給部８５を背面２６に確実に取り付けることができる。
【００３８】
なお、本発明は、上述した雀球遊技機１に限らず、図１０に示すようなスロットマシン（回胴遊技機）６１や、アレンジボール遊技機に適用されてもよい。同図は、スロットマシン６１の外部構造を概略的に示す斜視図である。
【００３９】
スロットマシン６１は、図１０に示すように、筐体６２と、筐体６２の一側部に開閉自在に取り付けられて遊技者に面する前扉６３とを備えている。これら筐体６２と前扉６３とによって遊技機本体６１ａが構成される。
【００４０】
前扉６３は、図１０の上下方向における略中央部分に操作パネル６４を有し、操作パネル６４の上方及び下方に、液晶表示パネル６６及びメダル受け皿６７をそれぞれ有している。このメダル受け皿６７内には、入賞時にメダル払出し口６５から遊技メダルが払い出される。また、液晶表示パネル６６の上方には、クレジット枚数、ベット（ＢＥＴ）枚数、及び払い出し状況等を表示するための遊技状態表示部６８が設けられている。操作パネル６４には、上面にベットボタン６９及びメダル投入部７０が配置され、前面にスタートレバー７２及び３個のストップボタン７４が配置されている。なお、同図において、液晶表示パネル６６内方に見えるはずの回胴リール等は、便宜上図示を省略している。
【００４１】
筐体６２の内方には、中央部分に回胴リール装置（図示せず）が設けられ、最下部に図３で説明したものと同様のホッパユニット（図示せず）が配置されている。このホッパユニットは、入賞時にメダル払出し口６５から払い出すための多数の遊技メダルを収容する。更に、ホッパユニットの側方に隣接するように、該ホッパユニットから溢れ出た遊技メダルを収容し得る受容箱（図示せず）が配置されている。
【００４２】
このようなスロットマシン６１によっても、先の実施形態と同様の作用効果を奏することができる。
【００４３】
以上、本発明をその好適な実施形態に基づいて説明したが、本発明の遊技機は、上記実施形態の構成にのみ限定されるものではなく、上記実施形態の構成から種々の修正及び変更を施した遊技機も、本発明の範囲に含まれる。
【図面の簡単な説明】
【００４４】
【図１】本発明の実施形態における雀球遊技機の外部構造を示す斜視図である。
【図２】図１における遊技盤面部を抜粋して示す斜視図である。
【図３】雀球遊技機の前扉全体を開放して内部構造を示す正面図である。
【図４】装着構造におけるメダル補給部の装着前の状態を示す斜視図である。
【図５】装着構造におけるメダル補給部の装着の第１段階を示す斜視図である。
【図６】装着構造におけるメダル補給部の装着の第２段階を示す斜視図である。
【図７】メダル補給部の接続プレートへの固定状況を示す斜視図である。
【図８】メダル補給部の接続プレートへの固定後の状態を示す斜視図である。
【図９】図８のメダル補給部及び接続プレートを、一部断面した状態で示す側面図である。
【図１０】スロットマシンの外部構造を概略的に示す斜視図である。
【符号の説明】
【００４５】
１，６１    遊技機（雀球遊技機、スロットマシン）
１ａ，６１ａ    遊技機本体
２６    背面
２７    開口部
２９    接続部材（接続プレート）
２９ｃ    切欠き部
３１    第１係合部（係合爪部）
３３ａ    第２係合部（係合爪部）
４５    装着部
５７    貯留装置（ホッパユニット）
８５    補給部材（メダル補給部）
８７    先端部
Ｍ    遊技用媒体（遊技メダル）
【図１】
2008301866.tif 000003
【図２】
2008301866.tif 000004
【図３】
2008301866.tif 000005
【図４】
2008301866.tif 000006
【図５】
2008301866.tif 000007
【図６】
2008301866.tif 000008
【図７】
2008301866.tif 000009
【図８】
2008301866.tif 000010
【図９】
2008301866.tif 000011
【図１０】
2008301866.tif 000012